(57)【要約】【課題】電子部品を接続先装置へ接続するケーブルの配索を容易にする技術を提供する。【解決手段】電子部品のケーブルの先端に設けられるケーブル端子と接続されるコネクタを有する装置に設けられ、前記ケーブルを配索するためのケーブル配索構造であって、前記コネクタの近傍に配置され、前記ケーブルの先端側に形成されるケーブル先端領域を配索する第一配索部と、前記電子部品が装着される装着部の近傍に配置され、前記ケーブルの基端側に形成されるケーブル基端領域を配索する第二配索部と、を備え、前記第一配索部に配索された前記ケーブル先端領域と、前記第二配索部に配索された前記ケーブル基端領域は互いに交差する方向に延びており、前記ケーブルにおける前記ケーブル基端領域と前記ケーブル先端領域との間に形成されるケーブル中間領域を巻回させるケーブル巻回部を更に備えるケーブル配索構造。【選択図】図１
2019096678.tif 000002
【特許請求の範囲】
【請求項１】
電子部品のケーブルの先端に設けられるケーブル端子と接続されるコネクタを有する装置に設けられ、前記ケーブルを配索するためのケーブル配索構造であって、
前記コネクタの近傍に配置され、前記ケーブルの先端側に形成されるケーブル先端領域を配索する第一配索部と、
前記電子部品が装着される装着部の近傍に配置され、前記ケーブルの基端側に形成されるケーブル基端領域を配索する第二配索部と、
を備え、
前記第一配索部に配索された前記ケーブル先端領域と、前記第二配索部に配索された前記ケーブル基端領域は互いに交差する方向に延びており、前記ケーブルにおける前記ケーブル基端領域と前記ケーブル先端領域との間に形成されるケーブル中間領域を巻回させるケーブル巻回部を、更に備える、
ケーブル配索構造。
【請求項２】
前記ケーブル巻回部において巻回させた前記ケーブルの外周部をガイドする部材に前記ケーブルを収納するための穴部を備える請求項１に記載のケーブル配索構造。
【請求項３】
前記第一配索部が、前記ケーブルをガイドするリブを備える請求項１又は２に記載のケーブル配索構造。
【請求項４】
前記第一配索部の前記コネクタ側に前記ケーブルを保持するクランプ部を備える請求項１〜３の何れか一項に記載のケーブル配索構造。
【請求項５】
電子部品のケーブルの先端に設けられるケーブル端子を接続先の装置に設けられるコネクタに接続させる工程と、
前記接続後、前記コネクタの近傍に配置された第一配索部に、前記ケーブルの先端側に形成されるケーブル先端領域を配索する工程と、
前記第一配索部に配索された前記ケーブル先端領域と、前記ケーブルにおけるケーブル基端領域との間に形成されるケーブル中間領域をケーブル巻回部で巻回させる工程と、
前記巻回後の前記ケーブル基端領域が、前記第一配索部に配索された前記ケーブル先端領域と交差する方向に延びており、前記電子部品が装着される装着部の近傍に配置された第二配索部に、前記ケーブル基端領域を配索する工程と、
前記電子部品を前記装着部に装着する工程と、
を実行するケーブル配索方法。
【発明の詳細な説明】
【技術分野】
【０００１】
本発明は、ケーブルの配索構造及び配索方法に関する。
【背景技術】
【０００２】
従来、電子機器に接続されるケーブルは、当該電気機器の筐体内で適切に配設されている。当該ケーブルが適切に配設されていないと、組み立て時に当該ケーブルが挟み込まれる等して損傷してしまうことや、振動により断線してしまう等の不具合が考えられる。引用文献１には、電気接続線を筐体に固定する電気接続線固定装置に於いて、前記筐体に屈曲した溝を形成し、該溝に前記電気接続線を収納して固定する構成が示されている。
【先行技術文献】
【特許文献】
【０００３】
【特許文献１】特開２００６−５４３２４号公報
【特許文献２】特開平９−３３１１６２号公報
【特許文献３】特開平５−１１０２７１号公報
【特許文献４】特開２００３−３２４２８９号公報
【発明の概要】
【発明が解決しようとする課題】
【０００４】
ケーブルを介して電子部品を接続する機器が小型であると、筐体内にケーブルを適切に収めるのが難しいという問題があった。特に、ケーブルの剛性が高く、曲げにくいケーブルであると、筐体に収めるためにケーブルを屈曲させる際の応力が電子部品の本体とケーブルとの接合部に集中し、当該接合部が破損するという問題点があった。
【０００５】
そこで本発明は、電子部品を接続先装置へ接続するケーブルの配索を容易にする技術の提供を課題とする。
【課題を解決するための手段】
【０００６】
本発明のケーブル配索構造は、上述した課題を解決するため、
電子部品のケーブルの先端に設けられるケーブル端子と接続されるコネクタを有する装置に設けられ、前記ケーブルを配索するためのケーブル配索構造であって、
前記コネクタの近傍に配置され、前記ケーブルの先端側に形成されるケーブル先端領域を配索する第一配索部と、
前記電子部品が装着される装着部の近傍に配置され、前記ケーブルの基端側に形成されるケーブル基端領域を配索する第二配索部と、
を備え、
前記第一配索部に配索された前記ケーブル先端領域と、前記第二配索部に配索された前記ケーブル基端領域は互いに交差する方向に延びており、前記ケーブルにおける前記ケーブル基端領域と前記ケーブル先端領域との間に形成されるケーブル中間領域を巻回させるケーブル巻回部を、更に備える。
【０００７】
本発明のケーブル配索方法は、上述した課題を解決するため、
電子部品のケーブルの先端に設けられるケーブル端子を接続先の装置に設けられるコネクタに接続させる工程と、
前記接続後、前記コネクタの近傍に配置された第一配索部に、前記ケーブルの先端側に形成されるケーブル先端領域を配索する工程と、
前記第一配索部に配索された前記ケーブル先端領域と、前記ケーブルにおけるケーブル
基端領域との間に形成されるケーブル中間領域をケーブル巻回部で巻回させる工程と、
前記巻回後の前記ケーブル基端領域が、前記第一配索部に配索された前記ケーブル先端領域と交差する方向に延びており、前記電子部品が装着される装着部の近傍に配置された第二配索部に、前記ケーブル基端領域を配索する工程と、
前記電子部品を前記装着部に装着する工程と、を実行する。
【発明の効果】
【０００８】
本発明によれば、電子部品を接続先装置へ接続するケーブルの配索を容易にする技術を提供することができる。
【図面の簡単な説明】
【０００９】
【図１】図１は本発明の実施形態に係る接続先装置としてのドライブレコーダの斜視図である。
【図２】図２はドライブレコーダの基板に設けられたコネクタと当該コネクタに接続するケーブルの端子を示す図である。
【図３】図３は本発明の実施形態に係る保持部材の斜視図である。
【図４】図４は本発明の実施形態に係る保持部材の六面図である。
【図５】図５は比較例のケーブル配索方法を示す図である。
【図６】図６は本発明に実施形態にかかるケーブル配索方法の説明図である。
【発明を実施するための形態】
【００１０】
以下、図面を参照して本発明の実施形態について説明する。以下の実施形態の構成は例示であり、本発明は実施形態の構成に限定されない。
〈装置構成〉
図１は本発明の実施形態に係る接続先装置としてのドライブレコーダの斜視図である。図２はドライブレコーダの基板に設けられたコネクタと当該コネクタに接続するケーブルの端子を示す図である。図３は本発明の実施形態に係る保持部材の斜視図である。図４は本発明の実施形態に係る保持部材の六面図である。
【００１１】
まず図１に基づいて、本発明の配索ガイドを備えたドライブレコーダの概略構成を説明する。図１に於いて、符号１００は車両に搭載され、走行中の状況を映像で記録するドライブレコーダであり、内部構造を明らかにするために上部筐体を取り外して示している。ドライブレコーダ１００は、カメラ１０１や、メイン基板１０２、ＧＰＳアンテナ１０３等を有している。カメラ１０１は、不図示の撮影光学系や撮像素子を備え、車両の周囲の状況を撮影する。メイン基板１０２は、例えば、カメラ１０１で撮影した映像情報を処理する映像処理回路や、ＧＰＳアンテナ１０３によって受信したＧＰＳ信号に基づいて位置情報を算出する処理を行う位置情報演算回路、映像情報を記録媒体に記録させる記録回路、カメラ１０１や映像処理回路等の各部へ電力を供給する電源回路が形成されている。
【００１２】
ＧＰＳアンテナ１０３は、前記メイン基板１０２上に取り付けられた保持部材１０４上に載置されている。ＧＰＳアンテナ１０３は、本体１０３ａと、この本体１０３ａの側部に固設されたケーブル１０３ｂとを備えている。本実施形態では、ケーブル１０３ｂを介して接続先装着部に接続する電子部品として、ＧＰＳアンテナ１０３の例で説明するが、電子部品は、これに限定されるものではなく、センサーや撮像素子、通信モジュールなど、他の電子部品であってもよい。
【００１３】
メイン基板１０２には、保持部材１０４が取り付けられた一角を仕切るように仕切り板１０５が設けられている。仕切り板１０５は、抜き加工や曲げ加工等によって形成された金属板である。仕切り板１０５は、ＧＰＳアンテナ１０３と他の回路との間に設けられ、ノイズの影響を抑えている。仕切り板１０５は、メイン基板１０２のＧＮＤライン等と接
続され、接地されても良い。
【００１４】
また、メイン基板１０２には、図２に示すように、ＧＰＳアンテナ１０３のケーブル１０３ｂを接続するピン状のコネクタ１０６が設けられている。コネクタ１０６には、ケーブル１０３ｂの先端に設けられたケーブル端子１０３ｃが接続される。ケーブル端子１０３ｃ内には、弾性を有する複数の接点１０３ｄが設けられており、この複数の接点１０３ｄの間にコネクタ１０６が嵌め込まれる。このとき複数の接点１０３ｄの間がコネクタ１０６の先端によって押し広げられるように組み付けられ、複数の接点１０３ｄがコネクタ１０６の先端を越えてコネクタ１０６の縮径部１０６ａに嵌合し、コネクタ１０６を挟持することでケーブル端子１０３ｃが抜け止めされる。
【００１５】
保持部材１０４は、図３，図４に示されるように、ＧＰＳアンテナ１０３が装着される装着部１１と、ＧＰＳアンテナ１０３に設けられたケーブルの配索をガイドするガイド部１２を備えている。保持部材１０４の材質は特に限定されるものではないが、例えば、プラスチックによって成形される。
【００１６】
図３では、説明の便宜上、底板１を基準として横方向をＸ軸、奥行き方向をＹ軸とし、底板１（Ｘ−Ｙ平面）と直交する高さ方向をＺ軸として示している。また、図４に示すように、保持部材１０４のコネクタ１０６側に設けられる面を正面、その反対側を背面、正面に向かって右側の側面を右側面、その反対側の側面を左側面としている。なお、図３、図４の構成は一例であり、本発明に係るケーブル配索構造がこの方向に限定されるものではない。
【００１７】
装着部１１は、底板１に対して傾きを有し、正面側よりも背面側が高くなるように形成されている。このため装着部１１に装着されたＧＰＳアンテナ１０３は、底板１に対して傾斜し、正面側端部以外は底板１よりも高い位置に設けられている。
【００１８】
ガイド部１２は、底板１上に、クランプ部２やリブ３〜５が立設されている。クランプ部２は、ケーブル１０３ｂの直径よりもやや狭い間隙２ａを備え、当該間隙２ａへケーブル１０３ｂを押し込むように通すことにより、クランプ部２がケーブル１０３ｂを挟持する。
【００１９】
リブ３，４は、所定方向（Ｙ軸方向）に沿って互いに平行に設けられた平板状の部材であり、第一配索部３４を構成している。第一配索部３４は、クランプ部２で保持されたケーブル１０３ｂの先端領域をリブ３とリブ４との間に形成された間隙３４ａへ通すことで、配索をガイドし、ケーブル１０３ｂの先端領域を所定方向（Ｙ軸方向）へ直線状に配置させる。
【００２０】
リブ５は、リブ４との間に所定の間隙４５ａを空けて形成されており、リブ３，４の背面側端面３ｂ，４ｂとリブ５の正面側端面５ｂとが第二配索部４５を構成している。第二配索部４５は、ＧＰＳアンテナ１０３が装着される装着部１１の近傍に配置され、ケーブル１０３ｂの基端側に形成されるケーブル基端領域を配索するケーブル１０３ｂをリブ３，４の背面側端面３ｂ，４ｂとリブ５の正面側端面５ｂととの間に形成された間隙４５ａへ通すことで、配索をガイドし、ケーブル基端領域を所定方向（Ｘ軸方向）に配設させる。
【００２１】
第一配索部３４に配索されたケーブル先端領域と、第二配索部４５に配索されたケーブル基端領域は互いに交差する方向に延びており、ガイド部１２は、このケーブル基端領域とケーブル先端領域との間に形成されるケーブル中間領域を巻回させるケーブル巻回部５０を備えている。ケーブル巻回部５０は、リブ５や、装着部１１の右側縁部に立設された
リブ６、底板１の背面側縁部に立設された後壁７、底板１の右側縁部に立設された側壁８を有している。リブ５が、ケーブル中間領域を巻回させる際の内側の軸となり、リブ６、後壁７、及び側壁８が外周を規制する外側ガイド６０を構成している。外側ガイド６０の一部には、ケーブルの余長部分を収容する穴を有している。例えば図３の例では、リブ６の下方に穴部６ａが設けられている。
【００２２】
保持部材１０４の底面には、位置決めピン９が突出して設けられ、メイン基板１０２に設けられた位置決め用の穴（不図示）に、位置決めピン９を嵌合させて、接着やネジ止め等により、保持部材１０４をメイン基板１０２に対して固定している。なお、本実施形態では、保持部材１０４をメイン基板１０２へ取り付けたが、これに限らず、筐体等、他の部材に取り付けられてもよい。また、筐体等に、装着部１１とガイド部１２を設けて配索構造を構成してもよい。
【００２３】
〈ケーブル配索方法〉
《比較例》
図５は、比較例のケーブル配索方法を示す図である。先ず、工程Ｓ１０では、電子部品９０３の本体９０３ａを接続先装置９１０の装着部９１１に固定する。
【００２４】
次に、工程Ｓ２０では、ケーブル９０３ｂの向きを変え、当該ケーブル９０３ｂの中間領域をクリップ９０４に係止させる。
【００２５】
工程Ｓ３０では、ケーブルの先端に設けられたケーブル端子９０３ｃを接続先装置９１０の基板９０２に設けられたコネクタ９０６に嵌合させる。
【００２６】
そして、工程Ｓ４０では、コネクタ９０６を軸にケーブル端子９０３ｃを回転させて、コネクタ９０６とケーブル端子９０３ｃとが正常に嵌合しているか否かを確認する。ここで、コネクタ９０６とケーブル端子９０３ｃとの嵌合が不十分であると、ケーブル端子９０３ｃを回転させた際にケーブル端子９０３ｃがコネクタ９０６から外れ、嵌合が十分であれば、ケーブル端子９０３ｃが外れずに回転する。また、ケーブル端子９０３ｃを回転させた際に、ケーブル９０３ｂの余長部分を周囲へ広げてケーブル９０３ｂの配設位置を調整する。
【００２７】
図５の比較例のように、電子部品９０３の本体９０３ａを固定した後に、ケーブル９０３ｂの向きを変えると、この向きを変えた際の応力が電子部品９０３の本体９０３ａとケーブル９０３ｂとの接合部に働き、接合部分が破損してしまうことがある。また、図５のように、ケーブル９０３ｂに余長部分があると、この余丁部分を配設するスペースが余分に必要になる。また、ケーブル９０３ｂに余長部分が全くないと、ケーブル端子９０３ｃをコネクタ９０６に嵌合させた後、ケーブル端子９０３ｃを回転させることができず、コネクタ９０６とケーブル端子９０３ｃとの嵌合状態を確認することができない。
【００２８】
《実施例》
図６は、本実施形態にかかるケーブル配索方法の説明図である。先ず、工程Ｓ１１０では、ＧＰＳアンテナ１０３のケーブル１０３ｂの先端に設けられるケーブル端子１０３ｃをドライブレコーダ１００のメイン基板１０２に設けられるコネクタ１０６に嵌合させる。このときケーブル１０３ｂをクランプ部２と異なる方向へ向けた状態でケーブル端子１０３ｃをコネクタ１０６に嵌合させ、嵌合後、ケーブル１０３ｂがクランプ部２の間隙２ａに達するまでコネクタ１０６を回転軸としてケーブル端子１０３ｃを回転させる。ケーブル端子９０３ｃは、コネクタ１０６と正常に嵌合した場合、図２に示す接点１０３ｄがコネクタ１０６の縮径部１０６ａに嵌るため、回転させてもコネクタ１０６から外れることはない。一方、嵌合が不十分で接点１０３ｄがコネクタ１０６の縮径部１０６ａに嵌っ
ていないと、ケーブル端子１０３ｃを回転させた際にケーブル端子９０３ｃがコネクタ９０６から外れる。これにより、ケーブル端子１０３ｃとコネクタ１０６との嵌合状態を確認できる。
【００２９】
次に工程Ｓ１２０では、ケーブル１０３ｂのコネクタ近傍をクランプ部２の間隙２ａに挟み込ませて保持させた後、ケーブル１０３ｂの先端領域をリブ３とリブ４との間に形成された間隙３４ａへ通すことで、ケーブル１０３ｂの先端領域を所定方向（Ｙ軸方向）へ直線状に配置させる。
【００３０】
工程Ｓ１３０では、ケーブル１０３ｂのケーブル中間領域をリブ５の周囲に巻回させ、巻回後のケーブル基端領域を、第一配索部３４に配索されたケーブル先端領域と略直交する方向に向けて第二配索部に配索する。
【００３１】
工程Ｓ１４０では、ケーブル１０３ｂの余長部分を外側ガイド６０に設けた穴部６ａに押し込み、余長処理を行う。即ち、ケーブル１０３ｂの余長部分を装着部１１の下方に設けた空間（穴部６ａ）に収容させる。
【００３２】
そして、工程Ｓ１５０では、ＧＰＳアンテナ１０３の本体１０３ａを装着部１１に接着し、ドライブレコーダ１００のメイン基板１０２に対して固定する。
【００３３】
上述のように、本実施形態では、先ずケーブル端子１０３ｃをコネクタ１０６に接続し、配索後にＧＰＳアンテナ１０３の本体１０３ａを固定するので、配索中はＧＰＳアンテナ１０３の本体１０３ａが固定されていないので、配索時に本体１０３ａとケーブル１０３ｂとの接合部にかかる応力を抑えられ、当該接合部の損傷が防止される。このため、ＧＰＳアンテナ１０３の取り付けが容易となる。
【００３４】
また、ケーブル１０３ｂを第一配索部３４で直線状に配索し、ケーブル巻回部５０で巻回させて第二配索部４５に配索することで、ケーブル１０３ｂを無理なく略直角方向に屈曲させることができ、ＧＰＳアンテナ１０３の本体１０３ａとケーブル１０３ｂとの接合部にかかる応力を抑えることができる。また、ケーブル先端領域とケーブル基端領域とが直交するように、配索経路が折り畳まれて形成されるため、ケーブル１０３ｂをコンパクトに配索することができる。特に本実施形態では、仕切り板１０５で仕切られた範囲内でケーブル１０３ｂを無理なく配索することができる。更に、装着部１１が底板１よりも高い位置に設けられているため、巻回後に第二配索部４５に配索されるケーブル１０３ｂが第一配索部３４に配索されるケーブル１０３ｂの上を通って、無理なく装着部１１側へ配索される。
【００３５】
また、ケーブル巻回部５０において巻回させたケーブル１０３ｂの外周部をガイドする部材（外側ガイド６０）にケーブル１０２ｂを収納するための穴部６ａを備えたことにより、余長を有したケーブル１０３ｂを用いることができ、設計の自由度が向上する。なお、本実施形態では、装着部１１の下方に穴部６ａを設けた例を示したが、これに限らず、ケーブル１０３ｂと隣接する位置に配置される部材にケーブルを収納するための穴部を設けても良い。例えば、後壁７に穴部を設け、背面側の空間に余長部分を収容させてもよい。
【００３６】
また、本実施形態では、第一配索部が、リブ３，４を備え、ケーブル１０３ｂを直線状にガイドする構成としたことにより、配索経路を明確化し、組み立て作業の利便性を向上させることができる。
【００３７】
そして、第一配索部３４のコネクタ１０６側にケーブル１０３ｂを保持するクランプ部
２を備えたことにより、メイン基板１０２のコネクタ１０６から第一配索部３４への配索経路を確実に保持できる。
【００３８】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００３９】
１        ：底板
２        ：クランプ部
３〜６    ：リブ
６ａ      ：穴部
７        ：後壁
８        ：側壁
９        ：位置決めピン
１１      ：装着部
１２      ：ガイド部
３４      ：第一配索部
４５      ：第二配索部
５０      ：ケーブル巻回部
６０      ：外側ガイド
１００    ：ドライブレコーダ
１０３    ：ＧＰＳアンテナ
１０３ａ  ：本体
１０３ｂ  ：ケーブル
１０３ｃ  ：ケーブル端子
１０３ｄ  ：接点
１０４    ：保持部材
１０５    ：仕切り板
１０６    ：コネクタ
【図１】
2019096678.tif 000003
【図２】
2019096678.tif 000004
【図３】
2019096678.tif 000005
【図４】
2019096678.tif 000006
【図５】
2019096678.tif 000007
【図６】
2019096678.tif 000008